(57)【特許請求の範囲】
【請求項１】
パケットデータネットワーク内の通信のための移動無線通信装置であって、ネットワークアタッチメント手順の一部として、前記ネットワークに個別ベアラセットアップシグナリングを送信するように構成され、該装置は、前記個別ベアラセットアップシグナリングを格納するように、かつアタッチ完了シグナリングの成功に応じて該個別ベアラセットアップシグナリングを送信又は再送信するようにさらに構成される、移動無線通信装置。
【請求項２】
アタッチ完了メッセージの送信失敗の判断に応じて前記個別ベアラセットアップシグナリングを送信又は再送信するように構成される、請求項１に記載の装置。
【請求項３】
前記装置内の無線レイヤーが前記アタッチ完了メッセージの前記失敗を指示する、請求項２に記載の装置。
【請求項４】
アタッチ完了メッセージの送信成功の指示に応じて前記個別ベアラセットアップシグナリングを送信又は再送信するように構成される、請求項１に記載の装置。
【請求項５】
前記個別ベアラセットアップシグナリングはＮＡＳメッセージを含む、請求項１〜４のいずれか１項又は複数項に記載の装置。
【請求項６】
パケットデータネットワークにおける移動無線通信装置のためのネットワークアタッチメント方法であって、送信される個別ベアラセットアップ信号を格納するステップと、アタッチ完了シグナリングの成功に応じて前記個別ベアラセットアップ信号を送信又は再送信するステップとを含む、方法。
【請求項７】
個別ベアラセットアップシグナリングの前記送信又は再送信は、アタッチ完了メッセージの送信失敗の判断に応じる、請求項６に記載の方法。
【請求項８】
前記送信失敗を前記移動無線通信装置の無線レイヤー内で指示するステップを含む、請求項７に記載の方法。
【請求項９】
個別レイヤーのベアラセットアップシグナリングの前記送信又は再送信は、アタッチ完了メッセージの送信成功の指示に応じる、請求項６に記載の方法。
【請求項１０】
個別ベアラセットアップシグナリングはＮＡＳメッセージを含む、請求項６〜９のいずれか１項又は複数項に記載の方法。
【請求項１１】
ネットワークアタッチメント手順の一部として複数ベアラセットアップを含む、請求項６〜１０のいずれか１項又は複数項に記載の方法。
【発明の詳細な説明】
【技術分野】
【０００１】
本発明は、パケットデータネットワーク通信装置、及びその関連する動作方法に関する。
【０００２】
特に、本発明は、ネットワークアタッチ手順中に展開されるシグナリングに関する、パケットデータネットワーク通信装置及び関連する方法に関する。
【０００３】
本出願は、２００９年４月７日に出願された英国特許出願第０９０６０１４．６号からの優先権の利益を主張し、該特許出願の開示は参照によりその全体が本明細書に援用される。
【背景技術】
【０００４】
発展型３ＧＰＰネットワーク及びシステムアーキテクチャの標準規格化が進行中である。本標準規格化において、ごく最近では、ロングタームエボリューション（ＬＴＥ）システムアーキテクチャに関わるいわゆる発展型パケットシステム（ＥＰＳ）に焦点が当てられている。
【０００５】
一般に、そのようなパケットデータネットワークは、複数のＥＰＳベアラを用いるように構成される。これら複数のＥＰＳベアラは、それぞれ無線ベアラ及びモビリティトンネルを備える。各ＥＰＳベアラは、例えばＶｏＩＰのようにそれぞれ異なるＩＰフローに関する、複数のサービス品質（ＱｏＳ）プロファイルのうちの１つに関連付けられる。
【０００６】
そのようなアーキテクチャ内では、ユーザー機器（ＵＥ）がＥＰＳネットワークのアタッチ手順を要求することによって接続を開始する傾向にある。その次に、ネットワークは、そのネットワークの関連デフォルト接続と共にいわゆるアタッチ受理応答で応答するアタッチ手順を通じて、ＵＥの登録を可能にする。
【０００７】
一般に、そのようなデフォルト接続は、ネットワークアタッチメント手順における遅延を防ぎ、かつ該ネットワークアタッチメント手順をさらに簡略化する試みの中で提供される。一方、オプションとしては個別ベアラリソースもセットアップすることができる。一般に、個別ベアラリソースはＥＰＳデフォルトベアラコンテキストに関連付けられる。
【０００８】
次に、ＵＥは、アタッチ完了メッセージで応答することによってアタッチ手順を完了し、個別ＥＰＳベアラコンテキストアクティベーション応答で応答することによって個別ベアラリソースセットアップ手順を完了することもできる。
【発明の概要】
【発明が解決しようとする課題】
【０００９】
しかしながら、様々な理由のために、たとえば、ＵＥがアタッチ受理メッセージの受信に続く任意の時点からＬＴＥ内ハンドオーバーに遭遇する場合、ＵＥ内の下位レイヤーがアタッチ完了メッセージの送信に失敗する状況が規則的に発生する。このとき、アタッチ完了済メッセージは、ＵＥ内の下位レイヤーによって送信されず、このことは潜在的に問題があると確認されている。
【００１０】
このような問題を克服するか、又は少なくとも軽減するための機構が提案されており、現在既知の提案の１つの例は、第２のアタッチ手順の実施を開始することである。この第２のアタッチ手順は通例、オプションのセキュリティアクティベーション及びＥＳＭ情報要求手順も意味する。
【００１１】
このとき、コアネットワークエンティティが変わっていない場合であっても、ＵＥ内の非アクセス層（ＮＡＳ）レイヤー及びアクセス層（ＡＳ）レイヤーの双方において、ネットワーク実施態様に依拠して、デフォルトベアラが再作成される可能性がある。
【００１２】
代替の既知のオプションは、完全な再アタッチ手順を回避することを試みて、アタッチ完了シグナリングを再送信することである。しかしながら、そのような既知の構成では、個別ベアラリソースセットアップは、通例約８秒の関連ガードタイマー間隔の満了後に初めてネットワークによって再始動され、これは当然ながら、全ネットワークシステム内にレイテンシを引き起こす限り、制限的であると分かることができる。
【００１３】
そのようなレイテンシに関して、ＵＥはそのような個別ベアラのセットアップの要求を継続する可能性が高く、これによって、不都合なことには、システム内のシグナリングも増大するが、このシグナリングは実際には余分である。
【課題を解決するための手段】
【００１４】
本発明は、既知のそのような装置及び方法を上回る利点を有するパケットデータネットワーク通信装置及び動作方法を提供しようとするものである。
【００１５】
本発明の第１の態様によれば、パケットデータネットワーク内の通信のための移動無線通信装置であって、ネットワークアタッチ手順の一部として、ネットワークに個別ベアラセットアップシグナリングを送信するように構成され、該装置は、前記個別ベアラセットアップシグナリングを格納するように、かつアタッチ完了シグナリングの成功に応じて該個別ベアラセットアップシグナリングをネットワーク上で再送信するようにさらに構成される、移動無線通信装置が提供される。
【００１６】
アタッチ完了メッセージの送信成功に基づいて装置により送信される個別ベアラセットアップシグナリングを用いて、本発明が、アタッチ要求の不必要な再送信、並びに、任意の関連付けられたＮＡＳセキュリティアクティベーション及びＥＳＭ情報の要求／応答を回避できると示す場合、本発明は特に利点を示すことができる。
【００１７】
さらなる利点として、上位レイヤー装置メッセージ再送信の現在の処理との動作の一貫性を維持することが容易に可能であることを本発明は示す。
【００１８】
装置は、アタッチ完了メッセージの送信失敗に応じて個別ベアラセットアップシグナリングを再送信するように構成されることが好ましい。
【００１９】
移動無線通信装置内の無線レイヤーがそのような送信失敗を示すと都合がよい。
【００２０】
代替的な特徴として、本装置はアタッチ完了メッセージの送信成功の指示に応じて個別ベアラセットアップシグナリングを再送信するように構成することができる。
【００２１】
これもまた理解されるように、移動無線通信装置内のＮＡＳが、後続の送信のために個別ベアラセットアップシグナリングを保持する役割を果たすことができるようなＮＡＳメッセージを、個別ベアラセットアップシグナリングに含むと都合がよい。
【００２２】
本発明の別の態様によれば、パケットデータネットワークにおける移動無線通信装置のためのネットワークアタッチメント方法であって、送信された個別ベアラセットアップ信号を格納するステップと、アタッチ完了シグナリングの成功に応じてネットワーク内で個別ベアラセットアップ信号を再送信するステップとを含む、方法が提供される。
【００２３】
上述した移動無線通信装置のさらなる可能な詳細に関してと同様に、本方法は、アタッチ完了メッセージの送信失敗の識別に応じて、個別ベアラセットアップシグナリングを再送信するように構成されることが可能であり、アタッチ完了メッセージの送信失敗を移動無線通信装置内の無線ベアラによって提示することができる。
【００２４】
本方法は、アタッチ完了メッセージの送信成功の指示に応じて個別ベアラのセットアップシグナリングを再送信するステップ、及び当然ながら、本装置のＮＡＳにより提供することができる送信された個別ベアラセットアップ信号を格納するステップも含むことができる。
【発明の効果】
【００２５】
従って、理解されるように、本発明を適用することによって、例えばＬＴＥ内ハンドオーバーに起因して、ＵＥ内の下位レイヤーによるＥＰＳアタッチ応答送信が失敗したとき、ＵＥは、例えば第２のアタッチ手順のような登録更新手順を開始する必要がなく、また、アタッチ完了手順を再送信する必要もないことが都合がよい。代わりに、ＥＰＳアタッチ応答再送信後に、任意の関連するＮＡＳ個別ベアラ応答信号を再送信することを提案する。
【００２６】
このため、本発明は有利には、ＥＰＳアタッチ手順の一部としての高速ベアラセットアップ及び後続のＮＡＳメッセージ送信失敗に対する比較的高度な回復力を提供することができる。
【００２７】
本発明を、添付の図面を参照して、例としてのみ以下でさらに説明する。
【図面の簡単な説明】
【００２８】
【図１】シグナリングが送信失敗／エラーを一切受けないパケットデータネットワーク内の要素を概略的に表すシグナリング図である。
【図２】同じネットワーク要素に関する同様のシグナリング図であるが、本発明の実施例がシグナリングメッセージの失敗から生じる問題を克服するように有効にされたシナリオを示す、シグナリング図である。
【発明を実施するための形態】
【００２９】
まず図１を参照すると、パケットデータネットワーク内のエンドユーザーの装置のＵＥＮＡＳ１０及びＵＥＡＳ１２、並びにそれと共にｅ−ＮｏｄｅＢ１４、及びネットワークの移動管理エンティティ（ＭＭＥ）１６も示されている。
【００３０】
標準として、ＵＥ１０、１２はパケットデータネットワークへの接続を求めて、アタッチ要求信号１８をＭＭＥに送信し、ＭＭＥ１６は、ネットワークへのＵＥ１０、１２の登録を可能にし、アタッチ受理信号２０を返す。アタッチ受理信号２０は、ＮＡＳ  ＥＰＳデフォルトベアラコンテキストセットアップ要求の詳細、及びオプションでＮＡＳ  ＥＰＳ個別ベアラコンテキストセットアップ要求も含む。
【００３１】
次に、ＵＥ１０、１２は、アタッチ完了信号２２を送信することによってアタッチ手順を完了するように動作する。アタッチ完了信号２２は、当然ながら、ＵＥの下位レイヤー１０内で生じ、ＮＡＳ  ＥＰＳデフォルトベアラコンテキストセットアップ応答を含む。
【００３２】
デフォルトベアラコンテキストセットアップ応答は、遅延を制限し、かつ通例、アタッチ手順の完了を簡略化するのに有用である一方、その後、ＵＥ１０、１２からのＮＡＳ  ＥＰＳ個別ベアラコンテキストセットアップ要求２４が続き、通常動作中、ＭＭＥ１６がＥＰＳデフォルトベアラコンテキスト内の関連付けられたＥＰＳ個別ベアラコンテキストに関連する任意のメッセージを容易に処理することができるようにする。
【００３３】
理解されるように、図１のシグナリングは、特定のシグナリング遅延／失敗が生じないシナリオを表す。
【００３４】
しかしながら、特に本発明の文脈において、ＵＥの下位レイヤーからアタッチ完了メッセージを送信するのを妨げるような失敗が生じ得ることが分かっている。このような失敗は、例えばアタッチ受理メッセージの受信に続くある時点から、ＬＴＥ内ハンドオーバーに遭遇する等を通じて生じる。
【００３５】
本出願の図２を参照して、シグナリングのそのような中断が示され、さらに検討される。
【００３６】
したがって、ここで図２を参照すると、図１に示すのと同じネットワーク要素１０、１２、１４、及び１６が示され、ここでもまた、ＵＥ１０、１２のためのアタッチ手順がＵＥ１０、１２からＭＭＥ１６へのアタッチ要求シグナリング１８により開始され、ＭＭＥ１６は上記で検討したアタッチ受理シグナリング２０で応答する。しかし、図２のシナリオでは、ＵＥ内の下位レイヤーは、セル内ハンドオーバー手順、Ｅ−ＮｏｄｅＢ内ハンドオーバー手順、又はさらにＥ−ＮｏｄｅＢ間ハンドオーバー手順を含む可能性があるＬＴＥ内ハンドオーバーを行うことを試みる。
【００３７】
その結果の中断２６を考慮すると、図１のアタッチ完了シグナリング２２は送信に成功せず、そのような失敗の指示２８がＵＥ１０、１２の下位レベル１０内で生じる。ＬＴＥ内ハンドオーバー２６により生じる失敗を通じて、ＭＭＥ１６は、アタッチ完了メッセージ内で見つけられるＮＡＳＥＰＳデフォルトベアラコンテキストセットアップ応答を受信しておらず、したがってＥＰＳデフォルトベアラコンテキストに関連付けられたＥＰＳ個別ベアラコンテキストに関連するメッセージを一切処理することができないことになることを理解するべきである。
【００３８】
このとき、本発明の有利なシグナリング３０がＵＥの下位レベル１０内で生成され、該シグナリング３０は、以前に試行されて同時に格納されたＮＡＳＥＰＳ個別ベアラコンテキストセットアップ要求の再送信を含む。理解されるように、このメッセージは、必要に応じたそのような再送信への準備ができた状態で、ＵＥ  ＮＡＳ１０内に事前に格納されている。
【００３９】
ここでＭＭＥ１６は、そのような再送信メッセージ３８の受信を通じて、ＮＡＳＥＰＳデフォルトベアラコンテキストセットアップ応答を含む先行するアタッチ完了メッセージ３２により、ＭＭＥ内に以前にセットアップされたＥＰＳデフォルトベアラコンテキストに関連付けられたＥＰＳ個別ベアラコンテキストに関連する任意のメッセージを処理することができる。
【００４０】
このため、本発明は、現在の技術と比較して、以前に単純性の理由から潜在的に提案されていたアタッチ手順の再始動を用いる必要がない場合に、有利であると分かることができる。さらに、第２のアタッチ手順が通例、ＭＭＥが実際には変わっていないのにＥＳＭ情報要求手順及びデフォルトベアラの再作成を要求する場合に、準最適であると考えることができる該第２のアタッチ手順を用いる必要がない。
【００４１】
すなわち、本発明は、アタッチ要求、セキュリティモード命令／完了、及びＥＳＭ情報要求／応答（ＥＳＭ情報（セキュリティ保護された）転送フラグがセットされている場合）、アタッチ受理、並びにアクティベート個別ＥＰＳベアラコンテキスト要求（複数可）の不要な再送信を回避する。当然ながら、ダウンリンクメッセージの再送信が有意義である唯一のケースはコアネットワークエンティティ変更の場合であるが、これは稀なケースである。（手順を完了することを可能にする最後のメッセージのような）他のＮＡＳメッセージ再送信に関する現在の挙動との一貫性を維持するため、ＴＡＩが変更されていないか、又は新たなＴＡＩがまだＴＡＩリスト内にある場合、ＬＴＥ内ハンドオーバーにおいて、ＴＡＵ完了、ＧＵＴＩ再配置完了、認証応答／失敗、セキュリティモード完了／拒否、及び切り離し受理が現在は再送信される。
【００４２】
理解されるように、本発明は、ＥＰＳアタッチの複数ベアラセットアップの分野において、かつシステムアーキテクチャエボリューション（ＳＡＥ）のＬＴＥ内ハンドオーバーが生じる可能性が高いシナリオに沿った特定の使用を提供する。
【００４３】
特に、ＵＥ内のＮＡＳが、ネットワークに個別ベアラセットアップ応答を送信したことを記憶することが理解されよう。無線レイヤーがＥＰＳアタッチ完了メッセージの送信に失敗したことを示す場合において、登録手順を実行する必要がないとき、格納されている個別ベアラセットアップ応答が再送信される。代替的に、ＵＥは個別ベアラセットアップ応答が存在する場合、その送信前に、アタッチ完了メッセージの送信成功の指示を待つことができる。
【図１】
0005472657.tif 000002
【図２】
0005472657.tif 000003